(57)【特許請求の範囲】
【請求項１】
顔面（１０）へ予め設けられて顔面装着部材（３０、４０、５０、６０）を止着することにより、この顔面装着部材を顔面へ着脱自在に装着するアンカー部材（２０）において、前記アンカー部材（２０）は、基部（２１）と雄側係合部材（２３）を有する雄側面ファスナーからなり、
前記基部（２１）は、裏面が平滑面をなし、この平滑面に粘着層（２２）が設けられて顔面へ直接取付けられ、
表面には雄側面ファスナーを構成する前記雄側係合部材（２３）が前記基部から一体に突出形成されるとともに、
前記雄側係合部材（２３）は、前記基部（２１）の表面側から突出する軸部（２３ａ）と、その突出側先端に形成される係合部とを備え、
隣り合う前記係合部は、ほぼ連続する一つの平面をなす印刷面を形成するように密に配列され、
前記雄側係合部材（２３）の突出側先端を含む表面が、前記印刷面へインクジェット印刷された装飾部（２４）をなすことを特徴とするアンカー部材。
【請求項２】
全体の肉厚が０．４５ｍｍ以下の薄型であることを特徴とする請求項１に記載したアンカー部材。
【請求項３】
前記装飾部（２４）の着色は、宝飾を模したビジュー印刷からなることを特徴とする請求項２に記載したアンカー部材。
【請求項４】
前記係合部は、前記軸部から直交方向へ広がる偏平頭部（２３ｂ）になっていることを特徴とする請求項１〜３のいずれか１項に記載したアンカー部材。
【請求項５】
前記顔面装着部材は、耳方向へ延びる延出部（３２・５２）を備え、
この延出部に設けらた結合部（３３・５１）と係合するべく、
前記アンカー部材（２０）が耳前方の髪の毛（１７）と耳（１１）との間に位置する耳前方部（１２ｂ）へ取付けられることを特徴とする請求項１〜４のいずれか１項に記載したアンカー部材。
【請求項６】
前記雄側面ファスナーからなる前記アンカー部材（２０）は、前記雄側係合部材（２３）の密度、突出長さ及び配置により、髪の毛の絡みにくい構造になっていることを特徴とする請求項５に記載したアンカー部材。
【請求項７】
顔面（１０）へ予め設けられて顔面装着部材（３０、４０、５０、６０）を止着することにより、この顔面装着部材を顔面へ着脱自在に装着するアンカー部材（２０）の着色方法において、
前記アンカー部材（２０）は、基部（２１）と雄側係合部材（２３）を有する雄側面ファスナーからなり、
前記基部（２１）は、顔面へ取付けられる裏面に粘着層（２２）が設けられ、
表面には雄側面ファスナーを構成する前記雄側係合部材（２３）が前記基部から一体に突出形成されるとともに、
前記雄側係合部材（２３）は、前記基部（２１）の表面側から突出する軸部（２３ａ）と、その突出側先端に形成される係合部とを備え、
隣り合う前記係合部は密に配列されて、ほぼ連続する一つの平面をなすように見える印刷面を形成し、
この印刷面へインクジェット印刷して、着色された前記装飾部（２４）を形成することを特徴とするアンカー部材の着色方法。
【請求項８】
前記インクジェット印刷は、紫外線硬化タイプのインクを用いて印刷されることを特徴とする請求項７に記載したアンカー部材の着色方法。
【請求項９】
前記係合部は、前記軸部の先端から直交方向へ広がる偏平頭部（２３ｂ）であり、隣り合う前記偏平頭部（２３ｂ）により前記印刷面が形成されるとともに、
隣り合う前記偏平頭部（２３ｂ）の間に間隙が形成され、この間隙内において、前記インクジェット印刷により前記基部（２１）の表面へ前記隣り合う偏平頭部（２３ｂ）間の間隙を埋める目地印刷層（２４ｂ）を形成することを特徴とする請求項８に記載したアンカー部材の着色方法。
【請求項１０】
請求項１〜６のいずれか１項に記載した前記雄側面ファスナーからなる前記アンカー部材（２０）へ着脱自在に止着される前記顔面装着部材において、
前記顔面装着部材がマスクカバー（３０）であり、
このマスクカバー（３０）は、鼻（１３）及び口（１５）を覆う別部材の交換マスク（３４）の外側を覆って支持するとともに、前記交換マスク（３４）の左右両側から耳方向へ延びる延出部（３２）を備え、
この延出部（３２）に設けられた、前記アンカー部材（２０）と係脱する雌側面ファスナー機能部を有する結合部（３３）にて、前記アンカー部材（２０）へ着脱自在に止着されることを特徴とする顔面装着部材。
【請求項１１】
請求項１〜４のいずれか１項に記載した前記アンカー部材（２０）へ着脱自在に止着される前記顔面装着部材において、
前記顔面装着部材は、顔面装飾のためのフェイスアクセサリー（４０）であり、
このフェイスアクセサリー（４０）は、宝飾やフェイスペイントのような装飾を施されるとともに、雌側係合部（４２）を備え、
この雌側係合部（４２）にて前記アンカー部材（２０）へ着脱自在に止着されることを特徴とする顔面装着部材。
【請求項１２】
請求項１〜６のいずれか１項に記載した前記アンカー部材（２０）へ着脱自在に止着される前記顔面装着部材において、
前記顔面装着部材がアイマスク（５０）であり、
このアイマスク（５０）は、目を覆うとともに、目（１４）から耳（１１）方向へ延びる延出部（５２）を備え、
この延出部（５２）に設けられた、前記アンカー部材（２０）と係脱する雌側面ファスナー機能部を有する結合部（５１）にて前記アンカー部材（２０）へ着脱自在に止着されることを特徴とする顔面装着部材。
【請求項１３】
前記アンカー部材（２０）が目（１４）の周囲（１２ｃ、１２ｄ）へ設けられていることを特徴とする請求項１２に記載した顔面装着部材。
【請求項１４】
請求項１〜６のいずれか１項に記載した前記アンカー部材（２０）へ着脱自在に止着される前記顔面装着部材において、
前記顔面装着部材が、目（１４）の周囲部分を含んで少なくとも顔面（１０）の一部を覆うファンシーマスク（６０）であり、
このファンシーマスク（６０）は、周囲の一部に、前記アンカー部材（２０）と係脱する雌側面ファスナー機能部を有する結合部（６１）を備え、
この結合部（６１）にて前記アンカー部材（２０）へ着脱自在に止着されることを特徴とする顔面装着部材。
【発明の詳細な説明】
【技術分野】
【０００１】
この発明は、予め顔面へ取付けられマスクなどの物品を顔面へ止着するために用いられるアンカー部材、及びこのアンカー部材に対する装飾のための着色方法並びにこのアンカー部材に止着される各種顔面装着部材に関する。
【背景技術】
【０００２】
顔へ予めアンカー部材を取付け、このアンカー部材を介してマスクを着脱自在に顔面へ取付けたものは公知である。このようにしたマスクは、従来のように耳掛け紐を介して耳へ取付けないので、長時間使用しても耳の付け根が痛くなるようなことが無く、快適に使用できる。また、アンカー部材はマスクを止着しないとき、それ自体を顔面に露出させて装飾部材として利用することもできる（特許文献１）。
さらに、耳掛け紐のないマスクの他の例として、マスクをマスク本体と左右方向端部に分離し、左右方向端部を粘着部とし、これを粘着材で顔面へ取付けるとともに、この部分の表面と、これに重なるマスク本体の端部内側に面ファスナー等からなる接続部を設け、この接続部でマスク本体を粘着部と分離・結合にすることにより、マスク本体を顔面上へ着脱自在にしたものもある（特許文献２）。
なお、一般的な面ファスナーは、互いに係脱する雄側面ファスナーと雌側面ファスナーの組み合わせで構成され、雄側面ファスナーは係合突起を備えるものであり、雌側面ファスナーは雄側面ファスナーの係合突起が係合するループ状等の繊維部分を有するものである。また、本願では雌側面ファスナーと同様に雄側面ファスナーを係合させることを雌側面ファスナー機能ということにする。
【先行技術文献】
【特許文献】
【０００３】
【特許文献１】特許第４６８４３１８号公報
【特許文献２】特開２００７−２０９８３号公報
【発明の概要】
【発明が解決しようとする課題】
【０００４】
ところで、上記特許文献１に記載されているアンカー部材は、先端球状の係合突起を突出形成し、マスク側に設けられている係合凹部と係脱するものであって、係合突起が顔面から大きく突出するので、この係合突起が視界内へ入ると違和感が生じ易い。このため、アンカー部材のみを装飾目的で予め顔面へ取付けておくには適さず、顔面装飾部材としては使いにくいものであった。また、係合突起が邪魔になって、アンカー部材の表面へ模様の印刷等を施して装飾効果を高めることが難しかった。
そこで、顔面上へ違和感なく長時間取付けて装飾的に使用するには、薄くかつ小型にすることが好ましい。このようにできる可能性があるものとして、例えば面ファスナーがある。
しかし、特許文献２に使用を示唆されている面ファスナーは、本来のマスクにおける左右方向端部である比較的大きな面積を有する粘着部の一部表面に取付けられている。このため、顔面上へ取付けられる部分は、マスクの一部である粘着部と、その上に取付けられる面ファスナー等の接続部とからなる部分となり、例えば面ファスナーは比較的剛性が高く厚い部材のため、粘着部と接続部からなる部材は全体が比較的大きく嵩張ったものになる。
【０００５】
このように、マスク本体を支持する顔面側の部材を大きくすると、この部分がマスク本体を外したときそのまま顔面へ残り体裁が悪くなってしまう。そのうえ、嵩張って厚く、比較的大型なので、視界内に入り込んで違和感や不快感を生じる。このため、マスク本体を外したときは、直ちに別のマスク本体を交換取付する場合を除き、上記粘着部を顔面から剥がして取り外すことが前提であり、マスク本体とは別に単独で顔面上へ残して顔面装飾部材として使用するようなことはできなかった。
さらに、面ファスナーのみをアンカー部材として使用すること並びに面ファスナーを顔面装飾部材として使用することは想定外であった。
そこで、本願は、使用に違和感が無く、かつ装飾効果のある顔面装飾部材としてのアンカー部材の提供を目的とする。併せて、表面を装飾するための有利な着色方法並びにこのアンカー部材に止着する顔面装着部材の提供を目的とする。
【課題を解決するための手段】
【０００６】
上記課題を解決するため請求項１に記載したアンカー部材に係る発明は、顔面（１０）へ予め設けられて顔面装着部材（３０、４０、５０、６０）を止着することにより、この顔面装着部材を顔面へ着脱自在に装着するアンカー部材（２０）において、
前記アンカー部材（２０）は、基部（２１）と雄側係合部材（２３）を有する雄側面ファスナーからなり、
前記基部（２１）は、裏面が平滑面をなし、この平滑面に粘着層（２２）が設けられて顔面へ直接取付けられ、
表面には雄側面ファスナーを構成する前記雄側係合部材（２３）が前記基部から一体に突出形成されるとともに、
前記雄側係合部材（２３）は、前記基部（２１）の表面側から突出する軸部（２３ａ）と、その突出側先端に形成される係合部とを備え、
隣り合う前記係合部は、ほぼ連続する一つの平面をなす印刷面を形成するように密に配列され、
前記雄側係合部材（２３）の突出側先端を含む表面が、前記印刷面へインクジェット印刷された装飾部（２４）をなすことを特徴とする。
【０００７】
請求項２に記載した発明は上記請求項１において、前記アンカー部材の全体の肉厚が０．４５ｍｍ以下の薄型であることを特徴とする。
【０００８】
請求項３に記載した発明は上記請求項２において、前記装飾部（２４）の着色が、宝飾を模したビジュー印刷からなることを特徴とする。
【０００９】
請求項４に記載した発明は上記請求項１〜３のいずれか１項において、
前記係合部は、前記軸部から直交方向へ広がる偏平頭部（２３ｂ）になっていることを特徴とする。
【００１０】
請求項５に記載した発明は、請求項１〜４のいずれか１項において、前記顔面装着部材は、耳方向へ延びる延出部（３２・５２）を備え、この延出部に設けらた結合部（３３・５１）と係合するべく、前記アンカー部材（２０）が耳前方の髪の毛（１７）と耳（１１）との間に位置する耳前方部（１２ｂ）へ取付けられることを特徴とする。
【００１１】
請求項６に記載した発明は上記請求項５において、前記雄側面ファスナーからなる前記アンカー部材（２０）は、前記雄側係合部材（２３）の密度、突出長さ及び配置により、髪の毛の絡みにくい構造になっていることを特徴とする。
【００１２】
請求項７に記載した発明は、顔面（１０）へ予め設けられて顔面装着部材（３０、４０、５０、６０）を止着することにより、この顔面装着部材を顔面へ着脱自在に装着するアンカー部材（２０）の着色方法において、
前記アンカー部材（２０）は、基部（２１）と雄側係合部材（２３）を有する雄側面ファスナーからなり、
前記基部（２１）は、顔面へ取付けられる裏面に粘着層（２２）が設けられ、
表面には雄側面ファスナーを構成する前記雄側係合部材（２３）が前記基部から一体に突出形成されるとともに、
前記雄側係合部材（２３）は、前記基部（２１）の表面側から突出する軸部（２３ａ）と、その突出側先端に形成される係合部とを備え、
隣り合う前記係合部は密に配列されて、ほぼ連続する一つの平面をなすように見える印刷面を形成し、
この印刷面へインクジェット印刷して、着色された前記装飾部（２４）を形成することを特徴とする。
【００１３】
請求項８に記載した発明は、上記請求項７に記載したアンカー部材の着色方法において、前記インクジェット印刷は、紫外線硬化タイプのインクを用いて印刷されることを特徴とする。
【００１４】
請求項９に記載した発明は、上記請求項７又は８に記載したアンカー部材の着色方法において、
前記係合部は、前記軸部の先端から直交方向へ広がる偏平頭部（２３ｂ）であり、隣り合う前記偏平頭部（２３ｂ）により前記印刷面が形成されるとともに、
隣り合う前記偏平頭部（２３ｂ）の間に間隙が形成され、この間隙内において、前記インクジェット印刷により前記基部（２１）の表面へ前記隣り合う偏平頭部（２３ｂ）間の間隙を埋める目地印刷層（２４ｂ）を形成することを
特徴とする。
【００１５】
請求項１０に記載した発明は上記請求項１〜６のいずれか１項に記載した前記雄側面ファスナーからなる前記アンカー部材（２０）へ着脱自在に止着される前記顔面装着部材において、
前記顔面装着部材がマスクカバー（３０）であり、
このマスクカバー（３０）は、鼻（１３）及び口（１５）を覆う別部材の交換マスク（３４）の外側を覆って支持するとともに、前記交換マスク（３４）の左右両側から耳方向へ延びる延出部（３２）を備え、
この延出部（３２）に設けられた、前記アンカー部材（２０）と係脱する雌側面ファスナー機能部を有する結合部（３３）にて、前記アンカー部材（２０）へ着脱自在に止着されることを特徴とする。
【００１６】
請求項１１に記載した発明は上記請求項１〜４のいずれか１項に記載した前記アンカー部材（２０）へ着脱自在に止着される前記顔面装着部材において、
前記顔面装着部材は、顔面装飾のためのフェイスアクセサリー（４０）であり、
このフェイスアクセサリー（４０）は、宝飾やフェイスペイントのような装飾を施されるとともに、雌側係合部（４２）を備え、
この雌側係合部（４２）にて前記アンカー部材（２０）へ着脱自在に止着されることを特徴とする。
【００１７】
請求項１２に記載した発明は上記請求項１〜６のいずれか１項に記載した前記アンカー部材（２０）へ着脱自在に止着される前記顔面装着部材において、
前記顔面装着部材がアイマスク（５０）であり、
このアイマスク（５０）は、目を覆うとともに、目（１４）から耳（１１）方向へ延びる延出部（５２）を備え、
この延出部（５２）に設けられた、前記アンカー部材（２０）と係脱する雌側面ファスナー機能部を有する結合部（５１）にて前記アンカー部材（２０）へ着脱自在に止着されることを特徴とする。
【００１８】
請求項１３に記載した発明は上記請求項１２において、前記アンカー部材（２０）が目（１４）の周囲（１２ｃ、１２ｄ）へ設けられていることを特徴とする。
【００１９】
請求項１４に記載した発明は上記請求項１〜６のいずれか１項に記載した前記アンカー部材（２０）へ着脱自在に止着される前記顔面装着部材において、
前記顔面装着部材が、目（１４）の周囲部分を含んで少なくとも顔面（１０）の一部を覆うファンシーマスク（６０）であり、
このファンシーマスク（６０）は、周囲の一部に、前記アンカー部材（２０）と係脱する雌側面ファスナー機能部を有する結合部（６１）を備え、
この結合部（６１）にて前記アンカー部材（２０）へ着脱自在に止着されることを特徴とする。
【発明の効果】
【００２０】
請求項１の発明によれば、アンカー部材として雄側面ファスナーを用い、直接顔面へ取付けたので、アンカー部材を薄型にでき、顔面上へ単独で使用しても目障りになりにくく、違和感のない使用が可能になる。しかも、雄側面ファスナーを用いることによって、アンカー部材の表面が均一化して整然とした面になるため、この面を装飾面とすることができるようになり、アンカー部材を装飾性の高い装飾部材とすることができる。
また、アンカー部材を雄側面ファスナーとすることにより、顔面装着部材の素材が布等からなり雄側面ファスナーと係脱できる雌側面ファスナー機能部を有するものであれば、雌側面ファスナーを省略して、顔面装着部材自体を直接アンカー部材へ止着できるので、顔面装着部材の部品点数を削減して、簡単な構造のものにすることができる。
しかも、基部を粘着層で顔面へ直接取付けできるので、他の比較的大きな介在部材を要さず、雄側面ファスナーアンカーは雄側面ファスナー機能部のみの外観をなすため、不要物を外観させず、装飾的に優れた外観にすることができ、かつ比較的小型にして、顔面取付時における苦痛や不快感を低減させることができる。
装飾部がインクジェット印刷されているので、有彩色で着色し装飾部をカラフルにして装飾効果を高めることができる。特に、雄側面ファスナーを用いることにより、その表面の装飾部が、均一化して整然とした面になっているため、ここに印刷等で着色することが容易になる。
【００２１】
請求項２の発明によれば、アンカー部材の全体の肉厚を０．４５ｍｍ以下の薄型にして、顔面装着時の違和感をなくすことができる。
【００２２】
請求項３の発明によれば、アンカー部材の装飾部がビジュー印刷で形成されているので、アンカー部材をより装飾性の高い顔面装飾部材にすることができる。
【００２３】
請求項４の発明によれば、雄側係合部材の先端部が偏平頭部をなしているので、アンカー部材の表面は全体として平坦な平面からなる装飾部を形成する。このため、印刷面の着色が容易となり、かつ明瞭な模様等を形成できる。
【００２４】
請求項５の発明によれば、アンカー部材を化粧がほとんどされていないことが多い、耳前方の髪の毛と耳との間に位置する耳前方部へ取付けたので、アンカー部材の着脱により化粧が乱れる心配がない。このため、化粧をすることが多い女性等の使用に特に好適である。
【００２５】
請求項７の発明によれば、雄側係合部材の隣り合う係合部が密に配列されてほぼ連続する一つの平面をなすように見える印刷面が形成されるので、この印刷面へインクジェット印刷を容易にすることができる。
装飾部をインクジェット印刷で着色形成するので、独立した雄側係合部材の先端部が多数集合して形成されている表面層へ容易かつ美しい装飾印刷が可能になる。しかも、インクジェット印刷はアンカー部材側へ非接触であるから、印刷時に雄側係合部材が折れ曲がる等して印刷面が乱れるおそれがないので、高精細な印刷が可能になる。
【００２６】
請求項８の発明によれば、紫外線硬化タイプのインク（ＵＶインク）を用いることにより速乾性があり、かつ硬化後の印刷面が硬くなって擦過キズ等の発生が少なくなるので、インクジェットによる安定した装飾部を形成できる。
【００２７】
請求項９の発明によれば、印刷面が雄側係合部材の先端部に形成された偏平頭部で構成されているため、全体として平坦な平面からなる印刷面になり、印刷を容易にすることができる。
また、隣り合う偏平頭部の間に間隙があり、この間隙にインクジェット印刷時のインクが入り、基部表面に目地印刷層を形成する。
この目地印刷層により、隣り合う偏平頭部間の間隙を埋めるので、隣り合う偏平頭部の印刷層は間隙を有するが、離隔観察において、各偏平頭部の印刷層は目地印刷層により連続した滑らかに連続する単一の印刷層として見えることになり、印刷むらの少ない装飾印刷層を形成できる。したがって、ビジュー印刷などの高精細で装飾効果の高い表現が可能になる。
【００２８】
請求項１０の発明によれば、顔面装着部材をマスクカバーとしたので、マスクカバーの着脱により、マスクの着脱ができる。このため、複数のマスクを交換して使用するに際して、マスクカバーを専用品とせず、交換することなく共通に使用し、複数のマスクだけを交換できるので汎用性が増す。
【００２９】
請求項１１の発明によれば、顔面装着部材をフェイスアクセサリーとしたので、アンカー部材に対して、フェイスアクセサリーを着脱することにより、自由に顔面の装飾ができる。
しかも、ビジュー印刷又はフェイスペイント風の模様等を印刷してあるので、顔面の装飾シーンの多くに適用できる。
【００３０】
請求項１２の発明によれば、顔面装着部材をアイマスクとしたので、アンカー部材に対して、アイマスクを取付けすることにより、寝返り時にずれないよう顔面へ確実に固定することができる。また、アイマスクをアンカー部材へ固定することにより、隙間を少なくして遮光することができる。
【００３１】
請求項１３の発明によれば、アンカー部材を目の周囲に設けたので、アイマスクを目の周囲へ固定することができ、より確実に遮光できる。
【００３２】
請求項１４の発明によれば、顔面装着部材をファンシーマスクとしたので、アンカー部材に対して、ファンシーマスクを着脱自在かつ容易に取付けることができる。
【図面の簡単な説明】
【００３３】
【図１】第１実施例に係る斜視図（装着前状態）
【図２】第１実施例に係る斜視図（装着時状態）
【図３】第１実施例に係るアンカー部材の正面図及び断面図
【図４】アンカー部材の基部斜視図及び部分拡大断面図
【図５】第２実施例に係るアンカー部材の装着状態斜視図
【図６】第３実施例に係るアンカー部材の装着状態斜視図
【図７】第４実施例に係るフェイスアクセサリーの取付図
【図８】第５実施例に係る斜視図（装着前状態）
【図９】第５実施例に係る斜視図（装着時状態）
【図１０】第６実施例に係る斜視図（装着前状態）
【図１１】第６実施例に係る斜視図（装着時状態）
【発明を実施するための形態】
【００３４】
図１〜４は第１実施例に係り、図１はマスクカバーを装着する途中の状態、図２は装着後の状態をそれぞれ示す。
顔面１０の耳１１近傍における左右両頬１２に予め雄側面ファスナーアンカー２０（本願発明におけるアンカー部材の一例をなす）が着脱自在に取付けられている。雄側面ファスナーアンカー２０の取付位置は、頬１２のうち、鼻１３と耳１１の中間部で耳１１寄りの位置である。１４は目、１５は口、１６は顎（図５参照）、１７は耳前方の髪の毛（「もみあげ」ともいう）である。
【００３５】
なお、雄側面ファスナーアンカー２０の取付位置は任意に設定できる。本実施例では、鼻１３の先端側後方かつ耳の穴前方に位置する突起１１ａの前方となる頬骨上位置１２ａになっている。この位置は、耳たぶ１１ｂの近傍でもあって、雄側面ファスナーアンカー２０を容易に取付けできるスペースがあるとともに、マスクカバー３０の支持に適した位置であり、かつ雄側面ファスナーアンカー２０を露出させる場合に周囲から見えやすい位置でもある。
【００３６】
また、耳前方の髪の毛１７と耳１１との間に形成される耳前方部１２ｂも、マスクカバー３０を支持する雄側面ファスナーアンカー２０の取付位置に適している。この位置は、特に化粧をした女性などにおいても、この部分はほとんど化粧がされないため、雄側面ファスナーアンカー２０を着脱しても、化粧が乱れる心配のない部分である。
なお、耳前方部１２ｂは、比較的前後方向（横幅方向）の狭い部分であるが、雄側面ファスナーアンカー２０を図示形状と異なる楕円等の縦長形状にしておけば、耳前方部１２ｂへ容易に取付けることができる。
【００３７】
左右の雄側面ファスナーアンカー２０にはマスクカバー３０の左右両端が着脱自在に止着される。マスクカバー３０は不織布等の通気性を有する繊維素材であり、左右の頬１２間を横断して顔面１０の下半部全体を覆う左右方向へ長い部材であり、鼻１３、口１５、顎１６を覆う。
【００３８】
マスクカバー３０は本願発明における顔面装着部材の一例であり、左右方向中間部の本体部３１と、その左右両側から耳１１方向へ延びる延出部３２を一体に備え、顔面へフィットするように立体的に形成されている。延出部３２の裏側（顔面１０に対面する側）で雄側面ファスナーアンカー２０に重なる位置には結合部３３が設けられている。この例における結合部３３は、雌側面ファスナーであり、両面接着等で延出部３２の裏面へ予め取付けられている。
【００３９】
雄側面ファスナーアンカー２０は雄側の面ファスナーで構成されており、その表面に雄側結合部が設けられ、これに雌側面ファスナーからなる結合部３３が係合可能になっており、その結果、結合部３３は雄側面ファスナーアンカー２０へ係脱自在になっている。
アンカー部材として雄側面ファスナーを用いることによって、雌側面ファスナーの起毛状をなす表面と異なり、アンカー部材の表面が均一化して整然とした面になるため、この面を装飾部とすることができるようになり、アンカー部材を装飾性の高い装飾部材とすることができる。
【００４０】
なお、マスクカバー３０がフェルトや不織布、又はガーゼのような織布などの布であり、雄側面ファスナーアンカー２０に結合する部分の表面が起毛等してそれ自体が雌側面ファスナーとして機能できる場合は雌側面ファスナーを省略可能であり、顔面装着部材の部品点数を削減して、簡単な構造のものにすることができる。
この雌側面ファスナーと同様に機能する部分を雌側面ファスナー機能部分という。但し、この雌側面ファスナー機能部分は雌側面ファスナー自体も含むものである。
【００４１】
すなわち、結合部３３は雌側面ファスナー機能部であり、マスクカバー３０の一部（少なくとも雄側面ファスナーのアンカー２０へ重なる部分）が起毛等して雌側面ファスナーとして機能する場合は、この部分自体を結合部３３とし、別体の雌側面ファスナーを省略することができる。但し、マスクカバー３０が布であっても、平織りの場合は、別体の結合部３３を設けることが好ましい。
【００４２】
本体部３１の裏側には、医療用もしくは衛生用の交換マスク３４が重ねられている。交換マスク３４は、例えば花粉対策として５μｍ以上の微粒子を捕捉できる家庭用の衛生マスクであり、市販されている既製品である。但し、耳掛け紐のないフィルター本体部のみからなり、ガーゼや不織布などの適当な素材を単純に四角状に折り畳んだものでもよい。また、マスクの性能は、より小さな微粒子を捕捉できる医療用や産業用のものでもよい。
【００４３】
この交換マスク３４は、本体部３１の裏側へ重ねられることにより、鼻１３、目１４もしくは口１５を覆った状態で、マスクカバー３０により顔面１０上へ固定される。但し、交換マスク３４をマスクカバー３０へ、より確実に固定させるには、必要により両面接着テープ等により仮止めすることもできる。
【００４４】
本体部３１の表面には、上部表示３５と下部表示３６が設けられている。これらはマスクカバー３０を上下反対にして使用することを防止するためのものであり、上部表示３５は、例えば鼻１３の上になる部分に、「ＮＯＳＥ」の文字と上向き矢印、下部表示３６はあご１６の上になる部分に「ＣＨＩＮ」の文字と下向き矢印を表示することにより形成されている。
【００４５】
ただし、上部表示３５と下部表示３６はこのような文字や記号に限らず、種々の文字、符号、記号や図形などが可能であり、例えば、△▽などでもよい。
また、結合部３３の表側に結合部表示３７が設けられ、この例では、結合方向を示す矢印等の適当な表示が設けられている。この表示も、種々の文字、符号、記号や図形などが可能である。
【００４６】
図１に示すように、本体部３１の裏側へ交換マスク３４を重ね、予め一方側の結合部３３を雄側面ファスナーアンカー２０へ係合させ、本体部３１及び交換マスク３４を鼻１３、口１５上へ重ね、他方側の結合部３３を対向する側の雄側面ファスナーアンカー２０へ重ねて係合させる。
これにより、図２に示すように、マスクカバー３０は左右両端の結合部３３が左右両頬１２上の雄側面ファスナーアンカー２０へ係合することにより顔面１０上に止着固定され、同時に交換マスク３４もマスクカバー３０により顔面１０上に固定される。
【００４７】
このとき、マスクカバー３０における結合部３３表側には、結合部表示３７が設けられているので、結合部３３を雄側面ファスナーアンカー２０の上へ容易に重ねることができる。また、上部表示３５と下部表示３６の存在により上下の合わせも正確にできる。
【００４８】
この装着状態において、左右の延出部３２は交換マスク３４から左右へ延び、耳１１近傍まで頬１２の上を覆う。また、上下方向にても、本体部３１の上下部が交換マスク３４の上下を越えて長く延びだしている。
したがって、マスクカバー３０は交換マスク３４を完全に覆い、交換マスク３４を露出させないため、顔面装飾としても機能している。
また、交換マスク３４を耳掛け紐で耳１１へ掛けないため、長時間装着しても耳の付け根が痛くなることがない。
【００４９】
交換マスク３４は、必要により交換自由である。交換する場合は、まず、マスクカバー３０の左右の結合部３３のうち少なくとも一方を雄側面ファスナーアンカー２０から外せば、マスクカバー３０を顔面１０から離し、交換マスク３４だけをマスクカバー３０及び顔面１０から取り外すことができ、交換マスク３４のみを交換してマスクカバー３０の内側へ重ね、再びマスクカバー３０の左右の結合部３３を対応する雄側面ファスナーアンカー２０へ係合すれば、顔面１０上に新たな交換マスク３４を装着できる。
【００５０】
しかも、複数の交換マスク３４は既製品（耳掛け紐がある場合はこれを切除したもの）が利用できるとともに、これらに対して共通のマスクカバー３０を使用できるので、マスクカバー３０を専用品とせず、複数のマスクを交換できるようになり汎用性が増す。
【００５１】
アンカーへ止着される形式の従来例のマスクは、耳掛け紐に代わって、左右にアンカー部材へ着脱するための結合部を延出させて設ける必要があるため、専用のものとなり、マスクの性能を変えようとすれば、全体を交換しなければならず、汎用性に乏しいものであった。そこで、異なる性能等を有する複数のマスクを交換使用可能にして汎用性を高めるようにすることが求められていた。
【００５２】
また、雄側面ファスナーアンカー２０は予め顔面１０へ取り付けたままとしておくことができる。雄側面ファスナーアンカー２０は顔面へ粘着剤により取付けてから一度剥がすと、粘着剤の表面に皮脂が付着することにより、再度の粘着が困難になり、繰り返し使用が難しくなるが、雄側面ファスナーアンカー２０を剥がさなければ雄側面ファスナーアンカー２０は顔面１０に対する当初の取付状態を維持し、アンカーとしての機能を失わない。そこで、雄側面ファスナーアンカー２０を剥がさず、マスクカバー３０のみを脱着することにより、顔面１０へマスクカバー３０を複数回着脱できる。
【００５３】
しかも、マスクカバー３０を装着しないときは、雄側面ファスナーアンカー２０が顔面１０の上に露出して配置されることになるが、雄側面ファスナーアンカー２０の表面には後述するように、印刷により装飾が施されているので、雄側面ファスナーアンカー２０を積極的に顔面１０の装飾部材として機能させることができる。
【００５４】
図３、図４は雄側面ファスナーとして形成された雄側面ファスナーアンカー２０の詳細を示す。図３はＡに雄側面ファスナーアンカー２０の正面図、ＢにＡのＢ−Ｂ線断面図を示す。これらにおいて、雄側面ファスナーアンカー２０は基部２１の裏面に適当な粘着剤が塗布された粘着層２２が形成され、顔面１０へ着脱自在に取付可能である。なお、粘着層２２は、両面接着テープ式のものであってもよい。基部２１を含む雄側面ファスナーアンカー２０は、顔面１０の曲面になじんで変形できるようにある程度の柔らかな弾性を有する弾性部材からなる。
【００５５】
基部２１の表面側には、雄側係合部材２３が形成され、その上に装飾部２４が印刷により形成されている。なお、図３のＢは、雄側係合部材２３及び装飾部２４を概略的にかつ誇張したサイズの表記になっている。装飾部２４は雄側面ファスナーアンカー２０における装飾面でもある。
【００５６】
装飾部２４は雄側係合部材２３の上から施され、例えば、宝飾類（ビジュー）を模した宝飾風装飾印刷（ビジュー印刷という）となっている。図３のＡに示す例では、正面視６角形状をなし、表面全体がビジューの印刷による装飾部２４になっている。周囲の縁取り部２４ｃは、カット面を示すように表現されている。
【００５７】
また、ビジュー印刷とすることにより、雄側面ファスナーアンカー２０を顔面１０へ取付けたまま、これへマスクカバー３０を係合しない状態で、顔面１０を装飾する宝飾風顔面アクセサリーとすることができる。したがって、雄側面ファスナーアンカー２０を単独で比較的長時間顔面１０上へ取付けておくことが可能になる。
但し、装飾部２４としてビジューの印刷は必須ではなく、宝飾風以外の模様や形状等からなる適宜装飾にすることができる。
【００５８】
図４はＡに雄側面ファスナーアンカー２０を構成する基部２１の表面側の一部を拡大した斜視図、Ｂに図３のＢにおける断面の一部を拡大した拡大断面図を示す。
雄側面ファスナーアンカー２０は帯状に連続して製造された雄側面ファスナーの原反ロール、もしくは予めこれを適当長さにカットした正方形もしくは長方形のカットシートから切り出される。以下、原反ロールやカットシートを雄側面ファスナーアンカー２０の原材料という。
このとき、原材料からの切り出しに伴う材料ロスの最も少ない雄側面ファスナーアンカー２０の形状は、原反の帯形状やカットシートの相似形である正方形もしくは長方形である。このような形状を非ロス形状ということにする。
【００５９】
本願の雄側面ファスナーアンカー２０はその形状による装飾性を実現するため、あえて材料ロスの生じる形状を採用している。このような形状は、例えば、円形・楕円形・正六角形、等の幾何学的形状であってもよく、このような形状でも、外接する正方形もしくは長方形、から切り出すとき１０％以上の材料ロスを生じる。そこで、このような比較的大きい材料ロスを生じる形状をロス形状ということにする。ロス形状にすることで切り出し後の形状を装飾的にすることができる。本願の雄側面ファスナーアンカー２０はすべてロス形状である。
【００６０】
なお、正方形もしくは長方形であっても、面取りや角アール処理することにより、若干の材料ロスを生じるものがある。しかし、このような、面取りや角アール処理は、外接する正方形もしくは長方形に対して数％以下の微小な材料ロスを生じるにすぎないため、このようなものは本願のロス形状に含めず、非ロス形状に含めることにする。
また、非ロス形状で装飾性のないもの、例えば長方形のものであっても、これを複数個使用した場合（図５参照）は、装飾的な使用とする。
【００６１】
以下、雄側面ファスナーアンカー２０の細部構造を説明する。まず、Ａにおいて、基部２１は、ポリプロピレン樹脂等の適宜熱可塑性樹脂からなり、その表面に多数の雄側係合部材２３が密に立設されている。各雄側係合部材２３は、略きのこ型をなし、基部２１から一体に突出形成された軸部２３ａと、その突出側先端を略偏平形状にした拡大頭部２３ｂとを有する。この例における拡大頭部２３ｂは軸部２３ａの軸方向から見た平面視で小判状又は長円状になっており、長径部分が最大幅部、短径部分が小幅部になっている。各雄側係合部材２３は、隣り合う拡大頭部２３ｂの間に若干の間隙を形成するようにして配列されている。
【００６２】
図４のＢに示すように、多数の拡大頭部２３ｂがそれぞれ略偏平形状をなし、若干の間隙を介して配列することにより、表面側を所定距離離れて見たとき（以下、離隔観察という）、各拡大頭部２３ｂの表面がほぼ連続する一つの平面をなすように見える。したがって、各拡大頭部２３ｂの表面に印刷すると、略偏平形状の表面に頭部印刷層２４ａが形成され、この各頭部印刷層２４ａが隣り合って密に配列されることにより、ほぼ平坦で実質的に同一平面をなす印刷面を形成するので、この平坦な印刷面へ印刷することにより、全体として美しい装飾部２４が形成される。なお、図４のＢにおける雄側係合部材２３の拡大頭部２３ｂは最大幅部の断面を示している。
【００６３】
このような印刷は、雄側面ファスナーアンカー２０を雄側面ファスナーで構成し、雄側係合部材２３の先端を略偏平形状の拡大頭部２３ｂとすることにより可能になったものであり、例えば、ホックのような比較的大きな係合部材を設けた場合には実現不可能となる。
なお、例えば、雄側係合部材２３の先端が尖って急傾斜の鈎形をなす場合には、平坦面が少なくなるため、印刷面が凹凸の大きなものになり、美しい装飾印刷が困難になる。
【００６４】
また、本実施例の頭部印刷層２４ａのように、略偏平形状の表面ではなく、例えば、半球面状をなすきのこ型であっても、表面の曲率半径が比較的大きく、表面の傾斜が緩ければ、印刷面の凹凸が小さくなるので、美しい装飾印刷をすることが可能になる。ただし、表面側にできるだけ偏平部を設けて平面に近い状態にすることが好ましい。
【００６５】
なお、各拡大頭部２３ｂの間には、基部２１上に目地印刷層２４ｂが形成される。この目地印刷層２４ｂは、隣り合う拡大頭部２３ｂ間の間隙を埋めるものであり、離隔観察において、頭部印刷層２４ａと連続し、頭部印刷層２４ａと目地印刷層２４ｂとにより、印刷むらの少ない装飾部２４が形成される。したがって、印刷面が実際には多数の拡大頭部２３ｂからなり、各拡大頭部２３ｂ間に微小な間隙が形成されるものであっても、装飾部２４はあたかも単一な平面上に印刷されたかのように、滑らかに連続する単一の印刷層からなるもののように見える。このため面ファスナーの表面に対する印刷であっても、ビジューなどを模した高精細で装飾効果の高い表現が可能になる。
【００６６】
この装飾部２４は、インクジェット印刷によって形成される。インクジェット印刷とは、公知のインクジェットプリンタにより、被印字媒体に対して微滴化したインクをノズルから直接に吹き付ける印刷方式であり、きめ細かで高精細な印刷が可能である。しかも、ノズルが被印字媒体に非接触であるから、印刷面が個々の独立した多数の拡大頭部２３ｂからなるものであっても、拡大頭部２３ｂを変形させることなく印刷面を安定した状態に保って印刷できる。また、インクが速乾性を有するため、液だれが生じず、拡大頭部２３ｂ間に間隙があっても、微滴化したインクが確実に間隙内へ入り込むことにより、輪郭の整った頭部印刷層２４ａを形成できる。
しかも、インクジェット印刷は雄側面ファスナーアンカー２０側へ非接触であるから、印刷時に雄側係合部材２３が折れ曲がる等して印刷面が乱れるおそれがないので、より高精細な印刷が可能になる。
【００６７】
なお、紫外線硬化タイプのインク（ＵＶインク）を用いれば、速乾性があり、かつ硬化後の印刷面が硬くなって擦過キズ等の発生が少なくなるので、インクジェットによる安定した装飾部２４を形成するインクとしてＵＶインクが最適である。
そのうえ、インクが微滴であるため、拡大頭部２３ｂ間の間隙に入って、基部２１上に正確な目地印刷層２４ｂが形成できる。
【００６８】
雄側面ファスナーアンカー２０は薄型に形成される。図４のＢにおいて寸法の一例を示せば、基部２１の肉厚ｔ１が０．１ｍｍ及び粘着層２２の肉厚ｔ２が０．０５ｍｍ、雄側係合部材２３の突出長さ（頭部印刷層２４ａを含む）ｈが０．３ｍｍ、全体の肉厚ｔ３が０．４５ｍｍである。なお、インクジェット印刷による装飾部２４の厚さは、数μｍ以下のため無視してある（但し、図中の膜厚は誇張して拡大表示している）。
また、拡大頭部２３ｂの最大幅部の寸法ｄ１が０．６ｍｍ、軸部２３ａの直径Ｄが０．２ｍｍ、隣り合う拡大頭部２３ｂの各最大部間の間隙ｄ２が０．２ｍｍである。なお、隣り合う拡大頭部２３ｂの小幅部間の間隙ｄ４（図４のＡ参照）もｄ２と同程度もしくはそれより若干狭い程度になっている。
【００６９】
このように、軸部２３ａが比較的細くかつ突出長さの短い雄側係合部材２３を密に設けることにより、薄型の雄側面ファスナーを実現でき、顔面に取付けたとき、顔面から突出する量が少なく、違和感なく快適に顔面へ取付けて使用できる雄側面ファスナーアンカー２０とすることができる。
【００７０】
基部２１の裏面は平滑面をなしている。これは、基部２１と雄側係合部材２３を一体に形成することにより可能になる。仮に、雄側係合部材２３を基部２１と別部材として、基部２１へ植毛するように突き刺して設けるとすれば、裏面に雄側係合部材２３の端部が多数突出し、この突出部によって裏面が凹凸面になるため、これを顔面へ接触させれば、痛覚を覚えることになり、実際上使用できない。顔面上で使用するには特許文献２に示した結合部のような大きな別部材を介在させて面ファスナーが直接顔面へ接触しないようにしなければならない。
【００７１】
しかし、本願における基部２１の裏面は平滑面をなしているので、顔面へ不快感を与えずに取付け、顔面への粘着層２２を介しての直接取付が可能になる。
そのうえ、基部２１を粘着層２２で顔面へ直接取付けできるので、他の比較的大きな介在部材を要さず、雄側面ファスナーアンカー２０は雄側面ファスナー機能部のみの外観をなすため、不要物を外観させず、装飾的に優れた外観にすることができ、かつ比較的小型にして、顔面取付時における苦痛や不快感を低減させている。
【００７２】
また、雄側係合部材２３は比較的高密度に形成され、髪の毛が絡みにくい構造になっている。雄側係合部材２３の密度は、隣り合う雄側係合部材２３の間隔に関係し、これを適切に調整することで髪の毛が絡まりにくくすることができる。そのうえ、軸部２３ａの突出長さを短くして曲がりにくくすることにより、隣り合う雄側係合部材２３の間へ髪の毛が入り込みにくくなっている。さらに、隣り合う雄側係合部材２３の間隙を直線状に配置しないようにしても隣り合う雄側係合部材２３の間へ髪の毛が入り込みにくくなる。
【００７３】
したがって、雄側係合部材２３の密度、突出長さ、隣り合う間隙の配置等を適切に調整すれば、髪の毛が絡みにくくなる。髪の毛が絡みにくいか否かは、実際に髪の毛を雄側面ファスナーアンカー２０の表面へ接触させることにより確認できる。この際の髪の毛は、一般的なものとされる、太さが０．０６ｍｍ〜０．１０ｍｍ（平均０．０８ｍｍ）のものを基準にする。この範囲の髪の毛の上に雄側面ファスナーアンカー２０を置いてから引き離すことにより、雄側面ファスナーアンカー２０から髪の毛が自然に分離すれば絡まないと評価し、これを所定回数（例えば、１０回）反復することにより、絡まないとの評価が過半数回のとき、絡みにくい構造であると判定する。
このように、髪の毛が絡みにくい構造とすることにより、雄側面ファスナーアンカー２０を、髪の毛と接触しやすい顔面へ取付けて使用することが可能になる。
その結果、結合部３３との十分な係合力を維持しつつ、薄型かつ小型で、しかも、髪の毛が絡みにくい状態で顔面へ取付けでき、顔面の装飾部材として活用できる。
【００７４】
このように雄側面ファスナーアンカー２０自体が薄型であり、そのうえ他の部材を介在せずに直接顔面１０へ取付けられることにより、取付状態においても全体として薄型であるので、顔面１０の頬１２もしくは頬骨上位置１２ａ（図１）等へ取付けても顔面からの突出量が少ないため、目尻側等の視界内に入って目障りになることが少なくなる。このため、顔面アクセサリーとして単独使用するときも、違和感を少なくして、長時間快適に使用することができる。
なお、この寸法は一例であり、使用目的等により自由に種々設定できる。
【００７５】
また、拡大頭部２３ｂを設けることによって、雌側面ファスナー機能部との係合力に大きな方向性を形成できる。すなわち、雌側面ファスナー機能部と係合したとき、係合力は軸部２３ａの軸直交方向の係合力Ｆ１は大きく、雌側面ファスナー機能部を剥がすときにおける軸方向の係合力Ｆ２は小さくなる。
ここで、係合力Ｆ１及びＦ２並びに結合力Ｆ３は、Ｆ３＞Ｆ１＞Ｆ２の関係を満たすように設定される。
【００７６】
係合力Ｆ２は、図４のＢに示すように、拡大頭部２３ｂの傾斜面２３ｃによって調整される。拡大頭部２３ｂの裏面は、軸部２３ａから拡大頭部２３ｂの突出方向（図の左右方向）先端に向かって斜め上がりに傾斜する傾斜面２３ｃになっている。このようにすると、拡大頭部２３ｂに係合している雌側面ファスナー機能部を、軸部２３ａの軸方向に沿って図の上方へ矢示Ｆ２方向へ剥がすとき、係合力を弱くして剥がし易くなるように調整できる。
このＦ２方向へ剥がすときの係合力Ｆ２は、傾斜面２３ｃの傾斜角度調整や湾曲もしくは凹凸等の種々形状を施すことにより自由に調節できる。
【００７７】
なお、剥がす方向の係合力は、粘着層２２の顔面に対する粘着している結合力Ｆ３よりも小さくなる様に設定され、雌側面ファスナー機能部を矢示Ｆ２方向へ剥がしても、雄側面ファスナーアンカー２０を顔面へ粘着状態で残すことができるようになっている。
したがって、マスクカバー３０の装着時には、軸部２３ａに係合した結合部３３の雌側面ファスナー機能部が、軸部２３ａを軸直交方向へ引っ張るため、結合部３３は大きな係合力Ｆ１にて雄側面ファスナーアンカー２０へ係合により止着され、マスクカバー３０を確実に顔面１０上へ支持できる。
【００７８】
一方、結合部３３と雄側面ファスナーアンカー２０の係合を解く場合には、結合部３３の雌側面ファスナー機能部を軸部２３ａの軸方向へ引っ張って引き剥がす。このとき係合力Ｆ１より小さな係合力Ｆ２で引っ張れば、雌側面ファスナー機能部の係合を容易に解くことができる。このため、係合力Ｆ１とＦ２の間に大きな方向性を形成でき、マスクカバー３０の顔面１０上における支持を確実にするとともに、取り外しを容易にできる。
【００７９】
これにより、雄側面ファスナーアンカー２０を顔面へ取付けたままの状態で、マスクカバー３０の支持並びに取り外しが可能になる。しかも、Ｆ１＞Ｆ２なる方向性を顕著にすることで、上記、Ｆ３＞Ｆ１＞Ｆ２の関係を容易に実現できる。
なお、上記の係合力Ｆ１及びＦ２並びに結合力Ｆ３の関係は、マスクカバー３０以外の後述する他の顔面装着部材を止着する場合も同じである。
【００８０】
このように、剥離時の係合力Ｆ２を粘着層２２が顔面へ粘着している結合力Ｆ３より小さくすることで、雄側面ファスナーアンカー２０を顔面へ粘着させた状態のまま、雌側面ファスナー機能部を雄側面ファスナーアンカー２０から容易に剥がすことができる。その結果、雄側面ファスナーアンカー２０は顔面へ粘着されたままの状態を維持するので、マスクカバー３０を取り外した後も、雄側面ファスナーアンカー２０を顔面へ残しておくことができ、マスクカバー３０の交換や着脱を繰り返すことができる。また、マスクカバー３０を取り外したときは、雄側面ファスナーアンカー２０を単独で、顔面上のアクセサリーとして装飾的に使用することができる。
【００８１】
また、雄側面ファスナーアンカー２０をマスクカバー３０と一緒に一度顔面から剥がすと、その後再び同じ雄側面ファスナーアンカー２０を顔面へ取付けようとしても、顔面の皮脂のために粘着層２２の粘着力が低下しているため、顔面へ粘着しにくくなる。このため、同じ雄側面ファスナーアンカー２０を顔面へ何回も着脱して反復使用することが困難になる。しかし、雄側面ファスナーアンカー２０を剥がさず、装飾部材として顔面上へ残しておくことにより、同じ雄側面ファスナーアンカー２０に対して同一又は異なるマスクカバー３０を何回も着脱することが可能になり、雄側面ファスナーアンカー２０を使い捨てでなく、長く使用することができる。
【００８２】
図５は第２実施例に係る雄側面ファスナーアンカー２０をビジュー風にした例である。この例では、略長方形にされた複数の角形アンカー２５と、自由な形状の自由形アンカー２６を取付けてある。角形アンカー２５は複数（３以上）の屈曲点とこれらを結ぶ直線から形成される多角形や星形等からなる直線を主体とする幾何学的に整形された形状をなす。自由形アンカー２６は、自然物形状やマスコット図形など、不整形形状や曲線的要素を有するものなどを含むより自由な任意形状からなる。この例では、中央部を抜いて空間にしたオープンハート風の宝飾品形状にされている。
【００８３】
このうち、角形アンカー２５は複数個を目尻の下方位置１２ｃから目尻後方位置１２ｄへかけて斜めに配置してある。自由形アンカー２６は頬骨上位置１２ａに設けられている。但し、各アンカーの配置は、この例に限らず、顔面１０上で任意である。
【００８４】
各アンカー２５、２６は、それぞれ長尺シート状の面ファスナーへインクジェットプリンタでビジュー印刷をしてから所定形状にカットしたものである。印刷の図柄や形状は任意にできる。なお、粘着層２２を形成する粘着加工は、カットの前後いずれであってもよい。
【００８５】
このような多数の雄側面ファスナーアンカー２０（２５、２６）を用いた場合、マスクカバー３０を装着したとき、一部（例えば、自由形アンカー２６）を結合部３３と係合させず、露出しておくことにより、マスクカバー３０装着時においても顔面のアクセサリーとしても利用できる。
【００８６】
図６は非ビジュー印刷にした別の例（第３実施例）に係り、この例では、小さな国旗等を模したミニフラッグ状のフェイスペイント状アンカー２７となっている。国旗等の旗の種類や形状は自由である。このようなフェイスペイント状アンカー２７は、サッカーなどの国際マッチの観戦において、顔面１０へ直接ペイントで模様等を表現したフェイスペイントに代わる手軽な顔面装飾手段として重宝される。
なお、フェイスペイント状アンカー２７は、ミニフラッグ以外にも種々可能であり、例えば、応援チーム名や選手名並びに応援メッセージ等を示す文字や、アニメキャラクター等を模したものでもよい。
【００８７】
このフェイスペイント状アンカー２７を用いれば、顔面１０へ直接絵の具等でペイントする場合と比べて遙かに容易に顔面装飾できる。絵の具等を用いてフェイスペイントする場合は、表現に限界があるばかりでなく、ペイントを容易に変更できず、そのうえ洗顔に手間取るところ、このような問題が容易に解決され、変化に富んだ顔面装飾を施すことができる。しかも、フェイスペイント状アンカー２７として予め多数種類を用意しておくことにより、顔面上のフェイスペイント状アンカー２７を瞬時に変化させることができ、頻繁かつ適時に顔面上の表現を変更できる。
【００８８】
図７は第４実施例に係り、顔面装着部材としてのフェイスアクセサリー４０を示す。この例は、宝石の側面を模した第１アクセサリー４３及び動物マスコットの第２アクセサリー４４を示す。但し、これらは一例であり、フェイスアクセサリー４０の形状、模様等は任意であり、ビジュー等の装飾性に富むものや、ミニフラッグ、各種メッセージ及びアニメキャラクター等のそれほど装飾レベルが高くないフェイスペイント風の印刷からなる非ビジュー印刷であってもよい。さらにはビジューを模した印刷でなく、ビジュー自体を用いたものでもよい。
【００８９】
図中の丸囲み部に第１アクセサリー４３の部分拡大断面を示すように、第１アクセサリー４３は、表面を装飾性の高いビジュー印刷がされた装飾面４１とし、裏面を例えば公知の手法で設けられたループ状繊維等からなる雌側係合部４２を形成した雌側面ファスナー機能部である。装飾面４１は雌側係合部４２の反対側であり平坦な表面をなしているので、印刷方法などを自由に選択して容易に印刷や着色をすることができる。
【００９０】
なお、ビジューを模した印刷でなく、ビジュー自体を用いる場合は、ビジューの裏面に雌側面ファスナー又は雌側面ファスナー機能部を有する部材を接着すればよい。
第２アクセサリー４４の構造も同じであるが、装飾面４１はビジュー印刷と異なり、より簡素な印刷としてもよい。
【００９１】
また、フェイスアクセサリー４０のサイズは、雄側面ファスナーアンカー２０と同じかより大きくして目立ち易くしてもよい。さらに、一端に雌側面ファスナー機能部からなる係合部を設けて雄側面ファスナーアンカー２０へ止着させ、ここからぶら下げて振り子状に揺動自在にした揺動型アクセサリーであってもよい。
【００９２】
このフェイスアクセサリー４０を、予め顔面１０へ取付けられている雄側面ファスナーアンカー２０（この例では図１と同様のもの）へ係合させて止着する。予め、多数種類のフェイスアクセサリー４０を用意しておけば、これを適宜交換して雄側面ファスナーアンカー２０へ止着することにより、変化に富んだ顔面装飾を施すことができ、フェイスペイントの場合と比べて遙かに容易に顔面装飾でき、フェイスペイント状アンカー２７を用いる場合と同様の効果が得られる。
【００９３】
図８及び図９は第５実施例に係り、顔面装着部材をアイマスクとした例であり、図８は装着前、図９は装着後の状態を示す。この例では、目１４の上を覆うアイマスク５０を顔面１０上へ雄側面ファスナーアンカー２０を介して着脱自在に止着するようになっている。この例では、雄側面ファスナーアンカー２０として図５に示す角形アンカー２５と自由形アンカー２６を用いている。角形アンカー２５は目１４と耳１１の間となる、目尻の下方位置１２ｃから目尻後方位置１２ｄに設けられ、さらに一部が耳前方部１２ｂに設けられている。
【００９４】
自由形アンカー２６はそれより下方の鼻１３と耳１１の間となる頬骨上位置１２ａに設けられている。この例では、大部分の角形アンカー２５はアイマスク５０の固定用、耳前方部１２ｂの角形アンカー２５及び自由形アンカー２６は主として装飾用に設けられている。なお、自由形アンカー２６等の非固定用アンカーは、片方の頬１２だけに設けることもでき、この例及び次の例ではそのようになっている。
【００９５】
アイマスク５０は左右が両目１４を覆う帯状の遮光部材であり、裏側適所に雌側面ファスナー機能部からなる結合部５１を設けてある。結合部５１はアイマスク５０のうち、目１４から耳１１方向へ延びる延出部５２の裏側に設けられている。但し、アイマスク５０の素材自体が起毛等により雌側面ファスナーとして機能するものであれば、特別に結合部５１を設ける必要がなく、延出部５２自体を結合部５１として利用できる。
【００９６】
一方、目の周囲（この例では目尻の下方位置１２ｃ及び目尻後方位置１２ｄ）には雄側面ファスナーアンカー２０（２５）を設けてあるので、アイマスク５０を目１４の上へ置き、結合部５１を雄側面ファスナーアンカー２０（２５）へ係合させると、アイマスク５０が顔面１０上へ確実に固定され、睡眠中にアイマスク５０がずれたり脱落するおそれが少ない。このとき、目１４の周囲へ雄側面ファスナーアンカー２０を配置しておくことにより目１４の周囲から光が入り込まないようにできる。
【００９７】
目１４の周囲に対する雄側面ファスナーアンカー２０の配置や数は自由であり、角形アンカー２５や自由形アンカー２６に限定されない。例えば、目の下位置１２ｅ、眉毛の側方端部近傍位置１２ｆ、眉毛の上方位置１２ｇ（いずれも図８）さらには眉間１２ｈ（図８）などの適所へ雄側面ファスナーアンカー２０を追加すれば、さらに確実な遮光が可能になる。
【００９８】
図１０及び図１１は第６実施例に係り、顔面装着部材をファンシーマスクとした例であり、特に、ファンシーマスクを仮装用マスク６０とした例である。仮装用マスク６０は、両目１４部分を横切って覆う略サングラス状の形状をなし、左右の両端部裏側に雌側面ファスナー機能部からなる結合部６１が設けられ、その内側に目１４を除かせる開口６２が左右に設けられている。結合部６１は顔面１０に予め設けられている雄側面ファスナーアンカー２０へ着脱自在に止着する。雄側面ファスナーアンカー２０は前実施例（図８・９）と同様である。
【００９９】
このようにすれば、仮装用マスク６０を顔面へ容易に止着することができ、取り外したときは雄側面ファスナーアンカー２０を顔面装飾として際だたせることができる。また予め複数種類の仮装用マスク６０を用意しておけば、雄側面ファスナーアンカー２０を顔面へ取付けたままで、これらを手軽に交換して装着できる。
【０１００】
このような、ファンシーマスクは、顔面を装飾するマスクであり、他に、顔面全体を覆う能面や玩具面などが多数ある。いずれの面も、結合部６１と目１４の覗く開口６２を備え、雄側面ファスナーアンカー２０へ着脱自在に止着できるようにしてある。
なお、ファンシーマスクを、少なくとも目１４を含む顔面１０を覆うとともに、目１４が覗くための開口を設けるか、少なくとも目１４の部分を透明にして外部を見ることができるように視界を確保した顔面被覆部材と定義する。
【０１０１】
このようにすると、アイマスク５０は類似形態であるが、遮光して視界を塞ぐためのものであるからファンシーマスクと区別される。マスクカバー３０も目を覆うものではないから区別される。一方、耳かけ用のつるを設けないファンション性の高いサングラスやメガネ等もファンシーマスクに含まれる。
【０１０２】
また、ファッション的でなく専ら機能的用途のファンシーマスクとして試着用のフェイスマスクがある。これは、目１４の穴を設けるか少なくとも目の部分を透明にして顔面１０全体を覆うようにしたものである。
このフェイスマスクの左右裏側に雌側面ファスナー機能部からなる結合部を設け、雄側面ファスナーアンカー２０により顔面１０上へ着脱自在に装着できるようにすることで、化粧した女性などの衣服試着時に、化粧が衣服に付着しないようになっている。この場合、アンカー部材２０は、化粧落ちの問題を考慮して、ほとんど化粧がされていない耳前方部１２ｂ（図１０）へ設けることが好ましい。これは化粧をすることの多い女性用の試着用具として特に有効である。
【０１０３】
なお、本願発明は上記の各実施例に限定されるものではなく、発明の原理内において種々に変形や応用が可能である。例えば、鼻１３や口１５を覆うように設けられた衛生用等の既製品マスクを装着する場合、マスクカバー３０を用いず、医療用もしくは衛生用のマスクを顔面装着部材として直接雄側面ファスナーアンカー２０へ止着させてもよい。この場合、マスクの左右方向端部等の内表面を直接雌側面ファスナー機能部とすることができる。但し、別体の雌側面ファスナーを取付けて結合部３３とすることもできる。
このようにすると、耳掛け紐のないマスクの装着が可能になり、耳掛け紐を省略可能になる。しかも、アンカー部材を顔面に取付けておけば、このアンカー部材に対して複数のマスクを適宜交換使用可能になる。
そのうえ、市販の耳掛け紐を有する既製品マスクを使用する場合は、予め既製品マスクから外観を損なわないように耳掛け紐を除去処理するか、又は耳掛け紐を残したまま雄側面ファスナーアンカー２０へ止着させることで、マスクカバー３０を用いなくても多数種類の既製品マスクを自由に交換して使用する機会を多くすることができる。
【０１０４】
さらに、マスクカバー３０と同様のもので、簡易なフィルター機能を有する通気性素材で構成されている場合は、内側の交換マスク３４を省略した状態で、結合部３３を雄側面ファスナーアンカー２０もしくは後述する別のアンカー部材へ止着すれば、マスクカバー３０と同様の部材を、交換マスク３４抜きで直接鼻１３や口１５を覆って比較的大きな埃等を防ぐ簡易マスクもしくは冬期の防寒マスクとして使用することもできる。この場合は、素材や色の選択もしくは表面へ適当な模様等の装飾を施すこと等により、顔面装飾部材としても機能させることができる。
【０１０５】
また、これらの各顔面装着部材を単に止着するためだけの目的でアンカー部材を用いる場合、このアンカー部材は表面に特別な装飾印刷が施されないシンプルなものであってもよい。例えば、前記ロス形状にカットしてアンカー部材を装飾形状とするだけで、素材の地色のまま使用することもできる。また、素材の地色が着色されていればさらに着色による装飾部とすることができる。この場合、アンカー部材全体を有彩色の単色又はマーブル模様で着色形成し、その結果、アンカー部材の表面に、印刷や塗装等の別作業によらない有彩色のカラフルな着色層としての装飾部を形成でき、装飾効果を高めることができる。
この場合、アンカー部材が樹脂製であれば、マスターバッチ法、練り込み法、顔料表面コート法、ドライブレンド等の素材に対する着色方法が可能である。
【０１０６】
なお、上記実施例にて説明した装飾部２４は、インクジェット印刷によって装飾部を形成したものであるが、他の印刷手法によって形成することもできる。このような他の印刷手法として、平面印刷、凸版印刷、凹版印刷、孔版印刷、レーザープリンタ印刷等が可能である。また、装飾部は、印刷によらず着色によっても形成できる。このような着色方法は種々可能であり、例えば、刷毛や筆等による直接着色又は塗布、エアーブラシ等による噴霧、染料や顔料漬けなど、主として手作業に適したものがある。
また、上記印刷又は印刷によらない着色をする場合において、着色する対象が雄側面ファスナーであって、その表面が均一化して整然とした面になっているため、ここに印刷等で着色することが容易になる。
【０１０７】
また、各顔面装着部材（３０、４０、５０、６０）は、必ずしも雄側面ファスナーアンカー２０と組み合わせることなく、これ以外の別のアンカー部材（例えば、特許文献１記載のもの）を止着対象としてと組み合わせて使用することができる。さらにこの場合は、アンカー側に雌側面ファスナー機能部を設け、顔面装着部材の結合部を雄側面ファスナーで形成してもよい。また、これらの各顔面装着部材を単に止着するためだけの目的でアンカー部材を用いる場合、このアンカー部材は表面に特別な装飾が施されないシンプルなものであってもよい。
このように、アイマスクやファンシーマスクさらにはフェイスアクセサリーのような各種の顔面装着部材を、アンカー部材を用いて顔面へ容易かつ確実に止着できるようにすれば、より多くの部材を顔面装着可能にして、趣味性や利便性を向上させることができる。
【符号の説明】
【０１０８】
１０：顔面、１１：耳、１２：頬、１３：鼻、１４：目、２０：雄側面ファスナーアンカー、２２：粘着層、２３：雄側係合部材、２３ａ：軸部、２３ｂ：拡大頭部、２４：装飾部、３０：マスクカバー、３２：延出部、３３：結合部、３４：交換マスク、４０：フェイスアクセサリー、５０：アイマスク、６０：仮装用マスク
【図１】
0006649226.tif 000002
【図２】
0006649226.tif 000003
【図３】
0006649226.tif 000004
【図４】
0006649226.tif 000005
【図５】
0006649226.tif 000006
【図６】
0006649226.tif 000007
【図７】
0006649226.tif 000008
【図８】
0006649226.tif 000009
【図９】
0006649226.tif 000010
【図１０】
0006649226.tif 000011
【図１１】
0006649226.tif 000012